(57)【要約】【目的】インターネット上で著作権侵害に当たるデジタル画像の不正利用をきわめて簡単な操作によって抑制することができるデジタル画像についての不正利用を防止するデジタル画像不正利用防止システムを提供することを目的とする。【構成】デジタル画像の不正利用防止登録を行うデジタル画像登録用端末と、デジタル画像登録用端末からのデジタル画像の不正利用防止登録を受け付ける登録管理サーバと、不正利用防止登録がなされたデジタル画像の利用を要求するデジタル画像利用要求端末と、デジタル画像が格納されているデジタル画像サーバとを有し、正当利用と判断された判断結果が送出されたデジタル画像利用要求端末にはデジタル画像が、不正利用と判断された判断結果が送出されたデジタル画像利用要求端末には、デジタル画像上に不正利用表示画像を重ねて表示された画像が、デジタル画像サーバよりデジタル画像利用要求端末へ送られる、ことを特徴とする。【選択図】              図１
2013125300.tif 000002
【特許請求の範囲】
【請求項１】
デジタル画像の不正利用防止登録を行うデジタル画像登録用端末と、通信回線網を介して、前記デジタル画像登録用端末からの前記デジタル画像の不正利用防止登録を受け付ける登録管理サーバと、前記登録管理サーバへ前記不正利用防止登録がなされたデジタル画像の利用を要求するデジタル画像利用要求端末と、前記デジタル画像が格納されているデジタル画像サーバと、
を有し、
前記デジタル画像登録用端末は、前記デジタル画像の不正利用を防止すべくデジタル画像からライセンス付きデジタル画像に変換して生成する画像変換生成手段と、変換生成されたライセンス付きデジタル画像の登録を要求する画像登録要求手段と、を有し、
前記画像変換生成手段では、不正利用防止すべきデジタル画像に、少なくとも前記デジタル画像の不正利用防止のために要求されるＩＤと前記デジタル画像が不正利用されたときに表示される不正利用表示画像とを含む不正利用防止付加情報を加えて、ライセンス付きデジタル画像を生成し、該ライセンス付きデジタル画像を前記デジタル画像サーバに格納してなり、
前記登録管理サーバは、前記ライセンス付きデジタル画像に関するＩＤ及びＵＲＬの登録を行う登録手段と、前記デジタル画像の利用要求のあったデジタル画像利用要求端末のＩＤ及びＵＲＬ情報から、前記登録されたライセンス付きデジタル画像の正当利用、不正利用の判断を行う判断手段と、前記判断手段の判断結果に基づき、デジタル画像の正当利用、不正利用情報が生成される情報生成手段と、生成された前記正当利用、不正利用の情報を、デジタル画像の利用要求のあった前記デジタル画像利用要求端末へ送出する送出手段と、を有して構成され、
前記送出手段により正当利用と判断された判断結果が送出されたデジタル画像利用要求端末にはデジタル画像が、送出手段により不正利用と判断された判断結果が送出されたデジタル画像利用要求端末には、デジタル画像上に前記不正利用表示画像を重ねて表示された画像が、前記デジタル画像サーバよりデジタル画像利用要求端末へ送られる、
ことを特徴とするデジタル画像不正利用防止システム。
【発明の詳細な説明】
【技術分野】
【０００１】
本発明は、例えば、撮影したデジタル写真あるいは作成したデジタルグラフィックデザイン画などのデジタル画像につき、例えばインターネットにアップ後、他人による前記デジタル画像の不正利用を防止するデジタル画像不正利用防止システムに関するものである。
【背景技術】
【０００２】
近年、ＩＴ情報技術の急速な発展により、大多数の人々がパソコンなどの端末を所有し、該端末によりインターネットを通じ、各種の情報を他人のサイト、ホームページなどから閲覧したり、あるいはダウンロードしたりすることが頻繁におこなわれている。
【０００３】
さらに、近年では自己のホームページやブログを所有し、自ら撮影したデジタル写真や自ら作成したデジタル画などのデジタル画像情報を前記ホームページやブログ上にアップすることも通常頻繁におこなわれている。
【０００４】
インターネット上で表示される撮影した写真画像やいわゆる創作したグラフィックデザイン画などデジタル画像は、撮影した時点あるいは作成した時点で著作権が発生しているものの、その不正コピーや不正アップロードなどの不正利用に対してそれらを防止する何ら有効な手段が見当たらないのが現状である。
【０００５】
そして、特開２００３−３２３１９０号公報に記載されているような発明は、他人によるインターネット上の不正利用を抑制するものではあるが、いわゆるデジタル画像についての不正利用を積極的に有効的に防止する技術ではなかった。
【先行技術文献】
【特許文献】
【０００６】
【特許文献１】特開２００３−３２３１９０号公報
【発明の概要】
【発明が解決しようとする課題】
【０００７】
かくして、本発明は前記従来の課題を解決するために創案されたものであって、インターネット上で著作権侵害に当たるデジタル画像の不正利用をきわめて簡単な操作によって抑制することができるデジタル画像についての不正利用を防止するデジタル画像不正利用防止システムを提供することを目的とするものである。
【課題を解決するための手段】
【０００８】
本発明によるデジタル画像不正利用防止システムは、デジタル画像の不正利用防止登録を行うデジタル画像登録用端末と、通信回線網を介して、前記デジタル画像登録用端末からの前記デジタル画像の不正利用防止登録を受け付ける登録管理サーバと、前記登録管理サーバへ前記不正利用防止登録がなされたデジタル画像の利用を要求するデジタル画像利用要求端末と、前記デジタル画像が格納されているデジタル画像サーバと、
を有し、
前記デジタル画像登録用端末は、前記デジタル画像の不正利用を防止すべくデジタル画像からライセンス付きデジタル画像に変換して生成する画像変換生成手段と、変換生成されたライセンス付きデジタル画像の登録を要求する画像登録要求手段と、を有し、
前記画像変換生成手段では、不正利用防止すべきデジタル画像に、少なくとも前記デジタル画像の不正利用防止のために要求されるＩＤと前記デジタル画像が不正利用されたときに表示される不正利用表示画像とを含む不正利用防止付加情報を加えて、ライセンス付きデジタル画像を生成し、該ライセンス付きデジタル画像を前記デジタル画像サーバに格納してなり、
前記登録管理サーバは、前記ライセンス付きデジタル画像に関するＩＤ及びＵＲＬの登録を行う登録手段と、前記デジタル画像の利用要求のあったデジタル画像利用要求端末のＩＤ及びＵＲＬ情報から、前記登録されたライセンス付きデジタル画像の正当利用、不正利用の判断を行う判断手段と、前記判断手段の判断結果に基づき、デジタル画像の正当利用、不正利用情報が生成される情報生成手段と、生成された前記正当利用、不正利用の情報を、デジタル画像の利用要求のあった前記デジタル画像利用要求端末へ送出する送出手段と、を有して構成され、
前記送出手段により正当利用と判断された判断結果が送出されたデジタル画像利用要求端末にはデジタル画像が、送出手段により不正利用と判断された判断結果が送出されたデジタル画像利用要求端末には、デジタル画像上に前記不正利用表示画像を重ねて表示された画像が、前記デジタル画像サーバよりデジタル画像利用要求端末へ送られる、
ことを特徴とするものである。
【発明の効果】
【０００９】
本発明によれば、インターネット上で著作権侵害に当たるデジタル画像の不正利用をきわめて簡単な操作によって抑制することができ、デジタル画像についての不正利用を防止するとの優れた効果を奏する。
【図面の簡単な説明】
【００１０】
【図１】本発明の概略構成を説明する説明図である。
【図２】本発明のデジタル画像登録用端末の構成を説明する説明図である。
【図３】本発明の登録管理サーバの構成を説明する構成説明図である。
【図４】本発明によるシステムの動作を説明する構成説明図（１）である。
【図５】本発明によるシステムの動作を説明する構成説明図（２）である。
【図６】本発明によるシステムの動作を説明する構成説明図（３）である。
【図７】本発明によるシステムの動作を説明する構成説明図（４）である。
【図８】本発明によるシステムの動作を説明する構成説明図（５）である。
【符号の説明】
【００１１】
１      デジタル画像登録用端末
２      通信回線網
３      登録管理サーバ
４      デジタル画像利用要求端末
５      画像創作部
６      画像変換部
７      画像登録要求部
８      送信部
９      制御部
１０    受信部
１１    記憶部
１２    入力部
１３    表示部
１４    特定情報登録部
１５    不正利用防止・不正利用判断部
１６    デジタル画像
１７    ライセンス付きデジタル画像
１８    ＩＤ
１９    ＵＲＬ
２０    不正利用防止付加情報
２１    不正使用表示
２２    判断情報生成部
２３    判断情報送出部
２４    デジタル画像サーバ
２５    特定情報
【発明を実施するための最良の形態】
【００１２】
以下、本発明を図に示す実施例に基づいて説明する。
【実施例】
【００１３】
図１は本発明の概略構成を示したもので、符号1はデジタル画像登録用端末、符号２はインターネットなどの通信回線網、符号３は登録管理サーバ、符号４はデジタル画像利用要求端末、符号２４はデジタル画像サーバを各々示す。
【００１４】
デジタル画像登録端末１は、何ら特殊な端末である必要はなく、一般的なパソコンでかまわないものであり、該デジタル画像登録端末１では、例えば自ら撮影したデジタル写真あるいは自ら新たに創作した例えばグラフィックデザイン画などのデジタル画像１６につき、不正利用防止の処理をおこなうべくデジタル画像につき、まず、該デジタル画像にＩＤなど前記画像を特定できる情報や不正利用がおこなわれたときに、前記デジタル画像に重ねて表示される「不正利用表示」のデータを付加し、ライセンス付きデジタル画像17を生成する。そして、このライセンス付きデジタル画像17をデジタル画像サーバ24に格納しておく。
【００１５】
さらに、前記ＩＤ１８及び前記デジタル画像サーバ２４のＵＲＬ１９などの特定情報２５をインターネットなどの通信回線網２を介して登録管理サーバ３に送信し、もって前記デジタル画像１６の不正利用防止登録、換言すれば他人の不正利用を防止する登録をおこなうものとなっている。
【００１６】
該デジタル画像の不正利用防止登録、換言すれば他人の不正利用を防止するための登録の操作につき図を参照して説明する。
【００１７】
図２から理解されるように、デジタル画像登録用端末１は、例えば、前記デジタル画像１６の不正利用防止登録に使用される専用のソフトをインストールして登録手続をおこなうものであり、制御部９で構成される画像創作部５によって、自ら創作したデジタル画像あるいはデジタルカメラで撮影した画像につき、これらデジタル画像１６を前記制御部９で構成される画像変換部６によりライセンス付きデジタル画像１７に変換する作業がおこなわれる。
【００１８】
すなわち、まず、不正利用防止したい要求するデジタル画像１６と、該デジタル画像１６に少なくともデジタル画像の不正利用防止のためのＩＤ１８と、前記デジタル画像１６を不当に利用したとき、表示する「不正な利用です」などの文字から構成した不正利用表示２１などを含む不正利用防止付加情報２０のデータを、前記デジタル画像１６にいわゆる付加情報として付加してライセンス付きデジタル画像１７を生成し、該ライセンス付きデジタル画像１７を前記デジタル画像サーバ２４に格納する。ここで、デジタル画像サーバ２４についてであるが、前記デジタル画像登録用端末１がデジタル画像サーバ24となってもよい。
【００１９】
ここで、不正利用防止付加情報２０について説明すると、不正利用防止付加情報２０のデータとしては、少なくとも前記デジタル画像１６の正当利用であることを判別するためのＩＤ１８が必要とされる。該正当利用であることを示すＩＤ１８としては、通常パスワードとして使用される表示でもよく、例えば「ｉｔｏ３＊＊７」などの英字と数字とを組み合わせたものが使用される。そして、登録したい前記デジタル画像１６が複数枚あるときには前記の「ｉｔｏ３＊＊７」の後に「−」をつけ、「−１」、「−２」として区別し、複数枚のデジタル画像１６を登録することもできる。
【００２０】
さらに、不正利用防止付加情報２０のデータとして、不正使用であることを表示する不正利用表示２１、例えば「不正使用」などの文字が表された表示をも不正利用防止付加情報２０として用意する。
【００２１】
しかして、前記デジタル画像１６の中に、前述の不正利用防止付加情報２０のデータを付加してライセンス付きデジタル画像１７に変換、生成する作業は、すでに述べたように、インストールされた専用のソフトウエアを用い、前記デジタル画像登録用端末１の制御部９により構成される画像変換部６によりおこなわれる。
【００２２】
なお、前記画像変換部６において、前記の不正利用防止付加情報２０のデータなどはいわゆる暗号化処理を行えるようになっており、他人のパソコンなどの端末からは前記不正利用防止付加情報２０のデータなどが編集できないように構成とされている。
【００２３】
前記の様にして変換したライセンス付きデジタル画像１７は、デジタル画像サーバ２４へ格納されるものとなる。
【００２４】
さらに、前記不正利用防止付加情報２０のデータにもなっているＩＤ１８や、デジタル画像が格納されているデジタル画像サーバ２４のＵＲＬ１９などの特定情報２５については登録管理サーバ３へ送信され、登録されるものとなる。
【００２５】
なお、図２において、制御部９は、画像創作部５、画像変換部６、画像登録要求部７を有して構成されている、また、符号１０は受信部、符号１１はハードディスクなどの記憶部、符号１２はキーボードなどの入力部、符号１３は液晶ディスプレイなどの表示部を示している。
【００２６】
次に、図３を参照して登録管理サーバ３の動作につき説明する。
【００２７】
登録管理サーバ３は、前記ライセンス付きデジタル画像１７の不正使用を防止すべく、特定情報２５の登録をおこなう特定情報登録部１４を有している。
【００２８】
該特定情報登録部１４では、デジタル画像登録用端末１の画像登録要求部７から送信されたライセンス付きデジタル画像１７の画像登録要求、すなわち前記したＩＤ１８及びＵＲＬ１９などの特定情報２５を受信し、該特定情報２５に基づきライセンス付きデジタル画像１７の登録をおこなうものである。そして、登録されたライセンス付きデジタル画像１７に関するＩＤ１８及びＵＲＬ１９などの特定情報２５は、登録管理サーバ３の記憶部１１内に格納されるものとなる。
【００２９】
次に、符号１５は、登録管理サーバ３の正当利用・不正利用判断部であり、該正当利用・不正利用判断部１５は、例えば、デジタル画像登録用端末１を含むデジタル画像利用要求端末４から、前記デジタル画像１６の利用要求があったときに、該利用要求のあったデジタル画像利用要求端末４の情報から、前記ライセンス付きデジタル画像１７の不正利用防止、不正利用の判断を行うものとなる。
【００３０】
すなわち、該正当利用・不正利用判断部１５では、前記利用要求のあったデジタル画像利用要求端末４の情報から、例えば、デジタル画像利用要求端末４が正当利用できるＵＲＬ１９を正当に保有しているものであるか否か、また正当利用できるＩＤ１８を有するものであるか否かなどが判断される。
【００３１】
すなわち、判断情報生成部２２によって、利用要求のあったデジタル画像利用要求端末４からの情報と前記特定情報２５のデータとが比較され、その比較結果からデジタル画像１６の正当利用、不正利用情報が生成される。
【００３２】
そして、利用要求のあったデジタル画像利用要求端末４の情報と前記特定情報２５のデータとが比較された結果、正当利用できると判断されたときには、デジタル画像１６の正当利用情報、すなわち、デジタル画像１６がそのまま利用できることを示す正当利用情報が、判断情報送出部２３、送信部８より通信回線網２を介して利用要求したデジタル画像利用要求端末４に送信され、該デジタル画像利用要求端末４では前記デジタル画像サーバ２４より例えばダウンロードした前記デジタル画像１６を正当利用できるものとなる。
【００３３】
しかし、利用要求のあったデジタル画像利用要求端末４の情報と前記特定情報２５のデータとが比較された結果、不正利用とされたときには、デジタル画像１６の正当利用が出来ないとの判断、すなわち、「不正利用」であるとの判断がなされ、該判断情報がデジタル画像利用要求端末４へ送信される。
【００３４】
すると、デジタル画像利用要求端末４がデジタル画像サーバ２４より、例えばダウンロードしたデジタル画像１６上には、例えば「不正使用」の文字表示などの不正利用表示２１の情報が重ねられて表示され、デジタル画像利用要求端末４では前記デジタル画像１６の上に「不正使用」などの文字が重ねられた画像しか閲覧あるいはダウンロードできないものとなる。
【００３５】
なお、デジタル画像利用要求端末４がデジタル画像サーバ２４に格納されているデジタル画像１６を閲覧したり、該デジタル画像をダウンロードしたりするには、専用の解析ソフトが必要とされており、該解析ソフトをインストールしてから各種の操作をおこなうものとなっている。
【００３６】
また、登録管理サーバ３からの「正当利用」及び「不正利用」の判断を解析したり、「不正利用」の場合、デジタル画像１６上に、例えば「不正使用」の文字表示などの不正利用表示２１の情報を重ねて表示するよう判断することも前記インストールした解析ソフトによっておこなわれる。
【００３７】
この様に、登録管理サーバ３では、例えば、デジタル画像１６が閲覧可能あるいはダウンロード可能なものであるか否かを前記特定情報（ＩＤ１８、URL１９など）２５を使っておこなうものであり、該特定情報（ＩＤ１８、URL１９など）２５を登録管理サーバ３に問い合わせ、もってデジタル画像サーバ２４におけるデジタル画像正当利用の可否を決定し、デジタル画像利用要求端末４に送信するのである。
【００３８】
次に、ライセンス付きデジタル画像１７を再編集あるいは加工する際の動作につき説明する。
【００３９】
ライセンス付きデジタル画像１７は暗号化されており、通常はかかる画像の編集は行えない。従ってライセンス付きデジタル画像１７の画像編集や加工を行う際には、ライセンス付きデジタル画像１７のＩＤ１８及びＵＲＬ１９などの照会を登録管理サーバ３に対して行い、その結果、正当利用が出来る端末と認識された場合に、前記ライセンス付きデジタル画像１７の画像編集や加工が専用のソフトを使用して行えるよう構成されている。
【００４０】
図６から理解されるように、変換用装置（パソコン）である例えばデジタル画像登録用端末１がライセンス付きデジタル画像１７を入力すると、登録管理サーバ３に対し、前記ソフトを介して自動的にＩＤ１８及びＵＲＬ１９の正しい使用者であるか否かの問い合わせがおこなわれ、登録管理サーバ３では、前記問い合わせに対し、正当利用できる端末か否かを返信する様構成されている。なお、これは、前述したデジタル画像登録用端末１がライセンス付きデジタル画像１７を閲覧したり、ダウンロードした場合も同様に自動的問い合わせがおこなわれ、この問い合わせに対し、正当利用できる端末か否かを返信する様構成されている。
【００４１】
そして、正当利用できる端末であるとされたときには、ライセンス付きデジタル画像１７の再編集や加工が行えるものとなる。
【００４２】
デジタル画像登録用端末1をデジタル画像利用要求端末４として使用した場合につき、ライセンス付きデジタル画像１７の再編集や加工の動作について図２を参照して説明すると、まず、ライセンス付きデジタル画像１７を受信部１０で受信して入力する。
【００４３】
この際、登録管理サーバ３に対し、前記ソフトを介して自動的に問い合わせがおこなわれ、登録管理サーバ３では、前記問い合わせに対し、正当利用できる端末か否かを返信するのである。そして、正当利用できると判断された場合には、画像変換部６によりそのライセンス付きデジタル画像１７を再編集あるいは加工できる。
【００４４】
次いで、再編集あるいは加工した後の新たなライセンス付きデジタル画像１７については、制御部９内の画像登録要求部７、送信部８より、通信回線網２を介して再度デジタル画像サーバ２４へ送出される。
【００４５】
そして、再編集あるいは加工した後の新たなライセンス付きデジタル画像１７についてのＩＤ１８及びＵＲＬ１９などの特定情報２５は、画像登録要求部７、送信部８より通信回線網２を介して登録管理サーバ３へ送出され、該登録管理サーバ３では当該ＩＤ１８及びＵＲＬ１９などの特定情報２５を入力し、例えば記憶部１１などに格納するものとされる。
【図１】
2013125300.tif 000003
【図２】
2013125300.tif 000004
【図３】
2013125300.tif 000005
【図４】
2013125300.tif 000006
【図５】
2013125300.tif 000007
【図６】
2013125300.tif 000008
【図７】
2013125300.tif 000009
【図８】
2013125300.tif 000010